(57)【要約】【課題】全ブロー処理を必要とするボイラの燃焼量を低くし、運転スイッチをオフにしたときにボイラ全体の出力蒸気量の変動量を抑えるボイラシステムを提供すること。【解決手段】複数のボイラを含むボイラ群２の台数制御を行う制御部は、全ブローが必要な時期になった前記ボイラのブロー報知アラームを検出するブロー報知アラーム検出部４２と、前記ブロー報知アラームの検出されたブロー報知ボイラの燃焼優先順位を最下位に繰り下げる優先順位繰下部４３と、ブロー報知ボイラの燃焼量の上限を予め設定された第１の燃焼量に設定するリミット設定部４４と、を含む。【選択図】図１
2018054181.tif 000002
【特許請求の範囲】
【請求項１】
複数のボイラからなるボイラ群と、
前記ボイラ群において生成された蒸気を集合させる蒸気ヘッダと、
前記蒸気ヘッダの内部の蒸気圧であるヘッダ圧力値を測定する蒸気圧測定手段と、
前記ヘッダ圧力値に基づいて前記ボイラ群の燃焼状態を制御する制御部と、
を備えるボイラシステムであって、
前記制御部は、
前記ヘッダ圧力値に基づいて必要蒸気量を算出する必要蒸気量算出部と、
前記必要蒸気量算出部により算出された必要蒸気量の蒸気を生成するように前記ボイラ群の出力を制御する燃焼制御部と、
全ブローが必要な時期になった前記ボイラのブロー報知アラームを検出するブロー報知アラーム検出部と、
前記ブロー報知アラームの検出されたブロー報知ボイラの燃焼優先順位を最下位に繰り下げる優先順位繰下部と、
前記ブロー報知ボイラの燃焼量の上限を予め設定された第１の燃焼量に設定するリミット設定部と、を備える、ボイラシステム。
【請求項２】
前記第１の燃焼量は、前記ボイラの最小燃焼量である、請求項１に記載のボイラシステム。
【請求項３】
前記優先順位繰下部は、
前記ブロー報知アラーム検出部によりブロー報知アラームが検出されたときに、前記ブロー報知ボイラの燃焼優先順位を最下位に繰り下げる、請求項１又は請求項２に記載のボイラシステム。
【請求項４】
前記優先順位繰下部は、
前記ブロー報知アラーム検出部によりブロー報知アラームが検出された後、オペレータによる前記ブロー報知アラームの確認操作を検知したときに前記ブロー報知ボイラの燃焼優先順位を最下位に繰り下げる、請求項１又は請求項２に記載のボイラシステム。
【請求項５】
前記優先順位繰下部は、
前記ブロー報知アラーム検出部によりブロー報知アラームが検出された後、オペレータによるブロー操作開始指示の操作を検知したときに前記ブロー報知ボイラの燃焼優先順位を最下位に繰り下げる、請求項１又は請求項２に記載のボイラシステム。
【請求項６】
前記制御部は、
前記ボイラ群により前記必要蒸気量を賄えない場合に、前記リミット設定部による設定を解除するリセット部を更に備える、請求項１〜請求項５のいずれか１項に記載のボイラシステム。
【請求項７】
前記制御部は、
前記ボイラ群における前記ブロー報知ボイラを除く燃焼中のボイラが所定の燃焼率又は所定の燃焼範囲を外れて燃焼する場合に、前記リミット設定部による設定を解除するリセット部を更に備える、請求項１〜請求項５のいずれか１項に記載のボイラシステム。
【請求項８】
前記所定の燃焼率は、前記燃焼中のボイラのボイラ効率が最も高くなる燃焼率であるエコ運転ポイントであり、
前記所定の燃焼範囲は、前記燃焼中のボイラのボイラ効率が所定閾値よりも高くなる燃焼率の範囲であるエコ運転ゾーンである、請求項７に記載のボイラシステム。
【発明の詳細な説明】
【技術分野】
【０００１】
本発明は、蒸気集合部（以下、「蒸気ヘッダ」ともいう）の内部の蒸気圧が設定圧力範囲に収まるように、制御対象のボイラの燃焼量を制御する台数制御手段（台数制御装置）を備えるボイラシステムに関する。
【背景技術】
【０００２】
複数のボイラからなるボイラ群により構成されるボイラシステムでは、ボイラ群において生成された蒸気を蒸気ヘッダに集合し、この蒸気ヘッダから負荷機器に対して蒸気を供給する。このようなボイラシステムでは、蒸気ヘッダ内の蒸気の圧力（ヘッダ圧力）が設定圧力範囲に収まるように、台数制御手段（台数制御装置）により制御対象のボイラの燃焼量を制御することとしている。
また、各ボイラにはそれぞれ優先順位が設定されている。優先順位は、燃焼指示や燃焼停止指示等を行うボイラを選択するために用いられる。
【０００３】
一般に、ボイラーを長時間運転すると、ボイラ内の給水（缶水）が濃縮してキャリーオーバーが生じたり、缶底にスラッジ等の堆積物が溜まり、蒸気の乾き度の低下や、バルブ等の関連機器の損傷を招いてしまう。そこで、例えばボイラの燃焼時間を１００％燃焼として換算した時間が所定の時間に到達した場合には、当該ボイラの運転スイッチをオフにして、ボイラ本体内のボイラ水を外部に排出するブロー処理（全ブロー処理）を行う必要がある。
しかしながら、ボイラの運転スイッチをオフにすると、当該ボイラの出力量が一気にゼロとなるため、急激な蒸気出力量の減少に伴い、ヘッダ圧力が不安定になる恐れがある。
このため、全ブロー処理を行うボイラは、燃焼を停止しているか、又は燃焼しているが他のボイラよりも燃焼量が少ないボイラであることが望ましい。
そこで、同時に複数台のボイラーが全ブロー処理を必要とする時期に達しても、そのうちの１台にのみあるいは蒸気供給量に影響が出ない台数に対してのみブロー指示信号を出力するように台数制御を行うことが知られている（特許文献１）。
また、全ブロー処理を必要とするボイラの稼働優先順位を下位に変更し、全ブロー処理を必要とする時期となっているボイラが燃焼する必要性を低くすることで、当該ボイラを停止させた場合において、蒸気供給量が不足しないようにすることが知られている（特許文献２）。
【先行技術文献】
【特許文献】
【０００４】
【特許文献１】特開平３−０３６４０３号公報
【特許文献２】特開２０１１−０９４８２３号公報
【発明の概要】
【発明が解決しようとする課題】
【０００５】
しかしながら、全ブロー処理を必要とするボイラの稼働優先順位を下位に変更した場合であっても、全体の負荷が上昇した場合には、当該ボイラの燃焼量を増加させるように台数制御されることとなり、当該ボイラをオペレータが停止させることが困難となる。
したがって、全ブロー処理を必要とするボイラの燃焼量を低くし、運転スイッチをオフにしたときにボイラ全体の出力蒸気量の変動量を抑えることができ、ヘッダ圧力が不安定になることを抑制する制御が望まれている。
【０００６】
本発明は、全ブロー処理を必要とするボイラの燃焼量を低くし、当該ボイラの運転スイッチをオフにしたときにボイラ全体の出力蒸気量の変動量を抑えることができ、ヘッダ圧力が不安定になることを抑制することができるボイラシステムを提供することを目的とする。
【課題を解決するための手段】
【０００７】
本発明は、複数のボイラからなるボイラ群と、前記ボイラ群において生成された蒸気を集合させる蒸気ヘッダと、前記蒸気ヘッダの内部の蒸気圧であるヘッダ圧力値を測定する蒸気圧測定手段と、前記ヘッダ圧力値に基づいて前記ボイラ群の燃焼状態を制御する制御部と、を備えるボイラシステムであって、前記制御部は、前記ヘッダ圧力値に基づいて必要蒸気量を算出する必要蒸気量算出部と、前記必要蒸気量算出部により算出された必要蒸気量の蒸気を生成するように前記ボイラ群の出力を制御する燃焼制御部と、全ブローが必要な時期になった前記ボイラのブロー報知アラームを検出するブロー報知アラーム検出部と、前記ブロー報知アラームの検出されたブロー報知ボイラの燃焼優先順位を最下位に繰り下げる優先順位繰下部と、前記ブロー報知ボイラの燃焼量の上限を予め設定された第１の燃焼量に設定するリミット設定部と、を備える、ボイラシステムに関する。
【０００８】
また、前記第１の燃焼量は、前記ボイラの最小燃焼量であることが好ましい。
【０００９】
また、前記優先順位繰下部は、前記ブロー報知アラーム検出部によりブロー報知アラームが検出されたときに、前記ブロー報知ボイラの燃焼優先順位を最下位に繰り下げることが好ましい。
【００１０】
また、前記優先順位繰下部は、前記ブロー報知アラーム検出部によりブロー報知アラームが検出された後、オペレータによる前記ブロー報知アラームの確認操作を検知したときに前記ブロー報知ボイラの燃焼優先順位を最下位に繰り下げることが好ましい。
【００１１】
また、前記優先順位繰下部は、前記ブロー報知アラーム検出部によりブロー報知アラームが検出された後、オペレータによる前記ブロー報知アラームの確認操作を検知したときに前記ブロー報知ボイラの燃焼優先順位を最下位に繰り下げることが好ましい。
【００１２】
また、前記制御部は、前記ボイラ群により前記必要蒸気量を賄えない場合（必要蒸気量＞最大出力蒸気量）に、前記リミット設定部による設定を解除するリセット部を更に備えることが好ましい。
【００１３】
また、前記制御部は、前記ボイラ群における前記ブロー報知ボイラを除く燃焼中のボイラが所定の燃焼率又は所定の燃焼範囲を外れて燃焼する場合に、前記リミット設定部による設定を解除するリセット部を更に備えることが好ましい。
【００１４】
また、前記所定の燃焼率は、前記燃焼中のボイラのボイラ効率が最も高くなる燃焼率であるエコ運転ポイントであり、前記所定の燃焼範囲は、前記燃焼中のボイラのボイラ効率が所定閾値よりも高くなる燃焼率の範囲であるエコ運転ゾーンであるようにすることができる。
【発明の効果】
【００１５】
本発明によれば、全ブロー処理を必要とするボイラの燃焼量を低くし、当該ボイラの運転スイッチをオフにしたときにボイラ全体の出力蒸気量の変動量を抑えることができ、ヘッダ圧力が不安定になることを抑制することができる。
【図面の簡単な説明】
【００１６】
【図１】本発明の一実施形態に係るボイラシステムの概略を示す図である。
【図２Ａ】第１実施形態のボイラの構成を示す概略図である。
【図２Ｂ】第１実施形態の台数制御装置の備える制御部の構成を示す機能ブロック図である。
【図３】本発明の第１実施形態に係る制御部４の処理の流れを示すフローチャートである。
【図４】本発明の第１実施形態に係る制御部４の処理の流れを示すフローチャートである。
【発明を実施するための形態】
【００１７】
［第１実施形態］
以下、図面を参照して、本発明の第１実施形態に係るボイラシステム１について説明する。図１は、ボイラシステム１の概略を示す図である。
【００１８】
図１に示すように、ボイラシステム１は、複数（５台）のボイラ２０を含むボイラ群２と、ボイラ２０において生成された蒸気を集合させる蒸気集合部としての蒸気ヘッダ６と、蒸気圧測定手段としての蒸気圧センサ７と、台数制御手段としての台数制御装置３と、を備える。
ボイラ群２は、負荷機器としての蒸気使用設備１８に供給する蒸気を生成する。
【００１９】
蒸気ヘッダ６の上流側は、蒸気管１１を介してボイラ群２（各ボイラ２０）に接続されている。蒸気ヘッダ６の下流側は、蒸気管１２を介して蒸気使用設備１８に接続されている。蒸気ヘッダ６は、ボイラ群２で発生させた蒸気を集合させて貯留することにより各ボイラ２０の相互の圧力差及び圧力変動を調整し、圧力が調整された蒸気を蒸気使用設備１８に供給するようになっている。
【００２０】
蒸気圧センサ７は、信号線１３を介して、台数制御装置３に電気的に接続されている。蒸気圧センサ７は、蒸気ヘッダ６の内部の蒸気圧（ボイラ群２で発生した蒸気の圧力）を測定し、測定した蒸気圧に係る信号（蒸気圧信号）を、信号線１３を介して台数制御装置３に送信する。
【００２１】
ボイラシステム１は、ボイラ群２で発生させた蒸気を、蒸気ヘッダ６を介して、蒸気によって運転される蒸気使用設備１８に供給可能とされている。
ボイラシステム１において要求される負荷（要求負荷）は、蒸気使用設備１８における蒸気消費量である。台数制御時においては、この蒸気消費量に対応して生じる蒸気ヘッダ６の内部の蒸気圧の変動を、蒸気圧センサ７が測定する蒸気ヘッダ６の内部の蒸気圧（物理量）に基づいて算出し、ボイラ群２を構成する各ボイラ２０の燃焼量を制御する。
【００２２】
蒸気使用設備１８の需要の増大により要求負荷が増加し、供給蒸気量が不足すれば、蒸気ヘッダ６の内部の蒸気圧が減少することになる。一方、蒸気使用設備１８の需要の低下により要求負荷が減少し、供給蒸気量が過剰になれば、蒸気ヘッダ６の内部の蒸気圧が増加することになる。このため、蒸気圧センサ７からの蒸気圧信号により要求負荷の変動をモニターすることができる。ボイラシステム１は、この蒸気圧に基づいて蒸気使用設備１８の消費蒸気量（要求負荷）に応じた目標蒸気量を算出するようになっている。
【００２３】
台数制御装置３は、制御部４と記憶部５とを備える。台数制御装置３は、ボイラ群２の燃焼制御に関して、例えば、記憶部５に記憶される設定条件（ボイラの優先順位等）を変更することができる。なお、設定条件の設定及び変更は、その全部又は一部を手動で行ってもよく、あるいは、その全部又は一部を自動で行ってもよい。
【００２４】
ボイラ２０は、複数の段階的な燃焼位置で燃焼可能な段階値制御ボイラ又は連続制御ボイラである。段階値制御ボイラとは、燃焼を選択的にオン／オフしたり、炎の大きさを調整したりすること等により燃焼量を制御して、選択された燃焼位置に応じて燃焼量を段階的に増減可能なボイラである。より具体的には、段階値制御ボイラとは、Ｎ（≧３）を任意の整数として、Ｎ位置制御すなわち、段階値制御ボイラの燃焼量を、燃焼停止状態を含めてＮ位置に段階的に制御可能なボイラ２０である。
【００２５】
なお、５台のボイラ２０を段階値制御ボイラとした場合、各ボイラ２０においては、それぞれ、各燃焼位置における燃焼量及び燃焼能力（高燃焼状態における燃焼量）は、等しく設定されていてもよく、あるいは、異なって設定されていてもよい。
【００２６】
また、ボイラ２０を段階値制御ボイラに換えて、連続制御ボイラとすることもできる。ここで、連続制御ボイラとは、燃焼率を連続的に変更して燃焼可能な連続制御ボイラである。例えば、少なくとも、最小燃焼状態Ｓ１（例えば、最大燃焼率の２０％の燃焼量における燃焼状態）から最大燃焼状態Ｓ２の範囲で、燃焼量が連続的に制御可能とされているボイラである。連続制御ボイラは、例えば、燃料をバーナに供給するバルブや、燃焼用空気を供給するバルブの開度（燃焼比）を制御することにより、燃焼量を調整するようになっている。
【００２７】
連続制御ボイラは、連続制御ボイラの燃焼停止状態Ｓ０と最小燃焼状態Ｓ１との間の燃焼状態の変更については、連続制御ボイラ（バーナ）の燃焼をオン／オフすることで制御される。そして、最小燃焼状態Ｓ１から最大燃焼状態Ｓ２の範囲においては、燃焼量が連続的に制御可能となっている。
なお、燃焼量を連続的に制御するとは、後述のローカル制御部における演算や信号がデジタル方式とされて段階的に取り扱われる場合（例えば、連続制御ボイラの出力（燃焼量）が１％刻みで制御される場合）であっても、事実上連続的に出力を制御可能な場合を含む。
【００２８】
複数のボイラ２０には、それぞれ優先順位が設定されている。優先順位は、燃焼指示や燃焼停止指示等を行うボイラ２０を選択するために用いられる。優先順位は、例えば整数値を用いて、数値が小さいほど優先順位が高くなるよう設定することができる。優先順位は、通常の場合、制御部４の制御により、所定の時間間隔（例えば、２４時間間隔）で変更される。
台数制御装置３は、強制的に優先順位どおりに各ボイラ２０を燃焼させるのではなく、負荷変動に伴い、優先順位に従って、優先順位の高いボイラ２０を燃焼させ、優先順位の低いボイラ２０を燃焼停止させることで、自然に優先順位どおりに燃焼ボイラを入れ替える、最適燃焼移行制御機能を備える。
【００２９】
複数のボイラ２０のそれぞれは、信号線１６を介して台数制御装置３と電気的に接続され、台数制御装置３の制御により燃焼位置（燃焼状態）が制御される。また、複数のボイラ２０のそれぞれは、運転者の操作により又は自動的に台数制御装置３の制御から切り離すことができる。
【００３０】
以上説明したボイラ２０は、図２Ａに示すように、燃焼が行われるボイラ本体２１と、ボイラ２０の燃焼位置又は燃焼状態を制御するローカル制御部２２と、を有する。
【００３１】
ローカル制御部２２は、各ボイラ２０を制御し、要求負荷に応じて燃焼位置又は燃焼状態を変更させることが可能とされている。ローカル制御部２２は、台数制御時には、制御部４による台数制御信号に基づいて各ボイラ２０を制御し、一方、ローカル制御時には、ボイラ２０を直接制御する。
ローカル制御部２２は、更にタイマ部２２１と、ブロー報知アラーム判定部２２２と、を有する。
タイマ部２２１は、ボイラ本体２１の内部のボイラ水位が所定値未満となるまでボイラ水を排出した後（全ブロー後）に、積算燃焼時間を計時する。積算燃焼時間とは、ボイラ２０の燃焼時間を最大燃焼率１００％で燃焼させた時間に換算した時間を指す。
【００３２】
ブロー報知アラーム判定部２２２は、計時している積算燃焼時間が、予め設定された第１の時間を越えた状態（「ブロー報知アラーム」という）であるか否かを判定し、ブロー報知アラームを判定した場合、例えば、ランプ（図示せず）を点灯させたり又は表示部（図示せず）にメッセージを表示する。そうすることで、オペレータに対して、当該ボイラ２０が全ブローを必要とする時期に達していることを知らせることができる。
【００３３】
以上のように構成されたボイラシステム１では、ボイラ群２で発生させた蒸気が、蒸気ヘッダ６を介して蒸気使用設備１８に供給される。
【００３４】
次に、台数制御装置３の詳細について説明する。
台数制御装置３は、蒸気圧センサ７からの蒸気圧力信号に基づいて、要求負荷に応じたボイラ群２の必要燃焼量、及び必要燃焼量に対応する各ボイラ２０の燃焼状態を算出し、各ボイラ２０（ローカル制御部２２）に台数制御信号を送信する。この台数制御装置３は、図１に示すように、制御部４と、記憶部５と、を備える。
【００３５】
制御部４は、信号線１６を介して各ボイラ２０に各種の指示を行ったり、各ボイラ２０から各種のデータを受信したりして、各ボイラ２０の燃焼状態や優先順位を制御する。各ボイラ２０は、制御部４から燃焼状態の変更指示の信号を受けると、その指示に従って当該ボイラ２０を制御する。
制御部４の詳細な構成については後述する。
【００３６】
記憶部５は、制御部４の制御により各ボイラ２０に対して行われた指示の内容や、各ボイラ２０から受信した燃焼状態、積算燃焼時間等の情報、複数のボイラ２０の優先順位の設定の情報、優先順位の変更（ローテーション）に関する設定の情報等を記憶する。
また、記憶部５は、各ボイラ２０から出力される出力蒸気量、及び各ボイラ２０それぞれから出力される出力蒸気量の合計値を記憶する。
【００３７】
次に制御部４の詳細な構成について説明する。図２Ｂは、制御部４の機能構成を示すブロック図である。
全ブロー処理を必要とするボイラの燃焼量を低くし、運転スイッチをオフにしたときにボイラ群２全体の出力蒸気量の変動量を抑えるために、制御部４は、図２Ｂに示すように、必要蒸気量算出部４０と、燃焼制御部４１と、ブロー報知アラーム検出部４２と、優先順位繰下部４３と、リミット設定部４４と、リセット部４５と、を含んで構成される。
【００３８】
［必要蒸気量算出部４０］
必要蒸気量算出部４０は、蒸気圧センサ７により測定されたヘッダ圧力値に基づいて必要蒸気量を算出する。
複数の段階値制御ボイラ２０からなるボイラ群２により構成されるボイラシステム１の場合、例えば、必要蒸気量算出部４０は、公知の比例分配制御方式に基づいて、ヘッダ圧力値の圧力位置によって必要蒸気量を算出する。
また、複数の連続制御ボイラ２０からなるボイラ群２により構成されるボイラシステム１の場合、例えば、必要蒸気量算出部４０は、ヘッダ圧力値が目標圧力値に一致するように、公知の位置形又は速度形ＰＩアルゴリズム又はＰＩＤアルゴリズムにより現時点の必要蒸気量ＭＶｎを算出する。
【００３９】
［燃焼制御部４１］
燃焼制御部４１は、必要蒸気量算出部４０により算出された必要蒸気量の蒸気を生成するようにボイラ群２の出力を制御する。
より具体的には、燃焼制御部４１は、必要蒸気量算出部４０により算出された必要蒸気量に基づいて、燃焼させるボイラ２０の台数を設定する。燃焼制御部４１は、記憶部５に記載されている優先順位に従って燃焼を開始又は停止するボイラ２０を設定すると共に、それらボイラ２０のローカル制御部２２に対して、台数制御信号（運転の開始、停止、又、燃焼率又は燃焼位置）を出力する。
また、燃焼制御部４１は、後述するリミット設定部４４によって上限値を設定されたボイラの燃焼量が上限値の燃焼量以内になるように燃焼制御する。
【００４０】
［ブロー報知アラーム検出部４２］
ブロー報知アラーム検出部４２は、全ブローが必要な時期になったボイラ２０を検出する。
具体的には、例えば、ブロー報知アラーム検出部４２は、ボイラ２０のローカル制御部２２（ブロー報知アラーム判定部２２２）から当該ボイラ２０のブロー報知アラームの判定信号を受信することで、全ブローが必要な時期になったボイラ２０を検出する。
【００４１】
［優先順位繰下部４３］
優先順位繰下部４３は、ブロー報知アラーム検出部４２によりブロー報知アラームが検出されたボイラ２０の燃焼優先順位をボイラ群２のなかで最下位に繰り下げる。
より、具体的には、優先順位繰下部４３は、予め設定されたブロー報知条件を満たすボイラ（「ブロー報知ボイラ」という）の燃焼優先順位をボイラ群２のなかで最下位に繰り下げる。
ここで、ブロー報知条件は、次の条件１〜条件３のいずれかの条件から予め選択されて記憶部５に設定される。
条件１：ブロー報知アラーム判定部２２２によりブロー報知アラームが出力される（すなわち、ブロー報知アラーム検出部４２によりブロー報知アラームを検出する）こと。
条件２：ブロー報知アラーム判定部２２２によりブロー報知アラームが出力された後（すなわち、ブロー報知アラーム検出部４２によりブロー報知アラームを検出した後）、オペレータによるブロー報知アラームの確認操作（例えば、表示画面又は入力部を介してオペレータにより入力される確認）を検知すること。
条件３：ブロー報知アラーム判定部２２２によりブロー報知アラームが出力された後（すなわち、ブロー報知アラーム検出部４２によりブロー報知アラームを検出した後）、オペレータによるブロー操作開始指示（例えば、各ボイラ２０に備えられたブロースイッチ（図示せず）がオペレータにより押下される操作）を検知すること。
【００４２】
［リミット設定部４４］
リミット設定部４４は、ブロー報知ボイラの燃焼量の上限を予め設定された第１の燃焼量に設定する。
ここで、第１の燃焼量は、ボイラ２０毎又はボイラグループ毎に設定され、記憶部５に記憶される。第１の燃焼量は、当該ブロー報知ボイラの最小燃焼量とすることができる。例えば、ブロー報知ボイラが段階値制御ボイラの場合、第１の燃焼量として低燃焼位置における燃焼（「低燃焼」という）を設定することができる。ブロー報知ボイラが連続制御ボイラの場合、第１の燃焼量として最小燃焼状態を設定することができる。
具体的には、リミット設定部４４は、優先順位を最下位にしたブロー報知ボイラを第１の燃焼量以内で燃焼させた場合であっても、ボイラ群２は当該ブロー報知ボイラを除く他の燃焼ボイラにより必要蒸気量算出部４０により算出される必要蒸気量を賄える（すなわち、第１の燃焼量と当該ブロー報知ボイラを除く他の燃焼ボイラの最大出力蒸気量との和が必要蒸気量を超える）と判定した場合に、ブロー報知ボイラの燃焼量の上限を第１の燃焼量に設定する。
以上のように、ブロー報知ボイラの燃焼優先順位が優先順位繰下部４３によりボイラ群２のなかで最下位に繰り下げられ、ブロー報知ボイラの燃焼量がリミット設定部４４によって設定された上限値の燃焼量（第１の燃焼量）以内になるように燃焼制御部４１により燃焼制御されることで、例えば、負荷要求に対して、ブロー報知ボイラを除く他の燃焼ボイラ２０のみで必要蒸気量を賄えるときに、燃焼制御部４１は、最適燃焼移行制御機能により当該ブロー報知ボイラを燃焼停止することが可能となる。
【００４３】
なお、上限リミットを設定された後のブロー報知ボイラの燃焼量の上限リミットへの移行制御については、即座に上限リミットに移行させるように構成することができる。また、即座に上限リミットに移行させる替わりに、以下に示すように移行させるように構成してもよい。
（移行制御その１）
ブロー報知ボイラの燃焼量の上限リミットへの移行制御を所定の時間をかけて少しずつ下げていくように構成する。
（移行制御その２）
ブロー報知ボイラの燃焼量の上限リミットへの移行制御を、例えば上限リミット設定直後は、実際の燃焼量が上限リミットを上回ることを許可し、（例えば上限リミットを低燃焼とした場合に、上限リミット設定直後は高燃焼であっても許可する）ブロー報知ボイラの燃焼量が上限リミット（例えば低燃焼）に到達した以降は、上限リミットを超えないように移行制御する。
例えば、高燃焼で燃焼しているボイラがブロー報知となり、上限リミットを「低燃焼」として、当該ボイラの燃焼量を一気に高燃焼から低燃焼に移行制御させると出力蒸気量の急減により圧力不安定となる可能性がある。
移行制御その１又は移行制御その２を適用することにより、前述したリスクを避けることができる。
【００４４】
［リセット部４５］
リセット部４５は、ブロー報知ボイラの燃焼量がリミット設定部４４により設定された上限値の燃焼量（第１の燃焼量）以内になるように燃焼制御されている場合に、全体の要求負荷が増加し、ボイラ群２は当該ブロー報知ボイラを除く他の燃焼ボイラにより必要蒸気量を賄えない（すなわち、第１の燃焼量と当該ブロー報知ボイラを除く他の燃焼ボイラの最大出力蒸気量との和が必要蒸気量より少ない）と判定した場合に、ブロー報知ボイラの燃焼量のリミット（上限）を一時的に外す。
そうすることで、ブロー報知ボイラに対して燃焼量の上限が設定された後に全体の蒸気負荷が増加し、ボイラ群２で必要蒸気量を賄えなくなった場合に、一時的にブロー報知ボイラに設定された燃焼量の上限をリセットする（外す）ことで、ブロー報知ボイラの出力蒸気量を増加させ、ボイラ群２により必要蒸気量を出力させることができる。
なお、リセット部４５によるブロー報知ボイラに設定された燃焼量の上限のリセットは、一時的なものである。例えば、待機ボイラが起動されて蒸気量を発生することが可能となることで、ブロー報知ボイラの燃焼量を第１の燃焼量以内で燃焼させた場合であっても、ボイラ群２により、必要蒸気量算出部４０により算出される必要蒸気量を賄えるようになった場合、リミット設定部４４は再度ブロー報知ボイラの燃焼量の上限（第１の燃焼量）を設定する。
こうすることで、一時的にブロー報知ボイラの燃焼量の上限をリセットした（外した）場合、リセット後に、例えば待機ボイラを燃焼させることにより、ブロー報知ボイラを第１の燃焼量以内で燃焼させた場合であっても、ボイラ群２は当該ブロー報知ボイラを除く他の燃焼ボイラにより必要蒸気量算出部４０により算出される必要蒸気量を賄えるようになった場合、再度ブロー報知ボイラの燃焼量の上限（第１の燃焼量）を設定することができる。
【００４５】
［制御部４の処理フロー］
次に、第１実施形態における台数制御装置３（制御部４）による制御の一連の流れについて図３及び図４を参照しながら説明する。図３及び図４は制御部４の処理内容を示すフローチャート図である。
【００４６】
図３及び図４にかけて、台数制御装置３（制御部４）の処理内容を示す。
なお、ボイラ群２に含まれる各ボイラ２０は、台数制御装置３（制御部４）により台数制御されているものとする。
図３及び図４を参照しながらブロー報知ボイラに係る処理フローについて説明する。
なお、この処理フローでは、ブロー報知条件として条件２が予め設定されているものとする。すなわち、制御部４は、ブロー報知アラーム判定部２２２によりブロー報知アラームが出力された後、オペレータによるブロー報知アラームの確認操作を検知した場合（条件２）に、当該優先順位を繰り下げるものとする。
【００４７】
ステップＳＴ１において、制御部４（ブロー報知アラーム検出部４２）は、各ボイラ２０について、全ブローが必要な時期になったか否か（すなわち、ブロー報知アラームがあったか否か）を検出する。各ボイラ２０についてブロー報知アラームを検出していない場合（Ｎｏ）、ステップＳＴ１に戻る。あるボイラ２０（以下、「ボイラ２０Ａ」という）のブロー報知アラームを検出した場合（Ｙｅｓ）、ステップＳＴ２に移る。
【００４８】
ステップＳＴ２において、制御部４（ブロー報知アラーム検出部４２）は、オペレータによるブロー報知アラームの確認操作を検知したか否かを判定する。オペレータによるブロー報知アラームの確認操作を検知した場合（Ｙｅｓ）、ステップＳＴ３に移る。オペレータによるブロー報知アラームの確認操作を検知しない場合（Ｎｏ）、ステップＳＴ２に戻る。
【００４９】
ステップＳＴ３において、制御部４（優先順位繰下部４３）は、ボイラ２０Ａの燃焼優先順位をボイラ群２のなかで最下位に繰り下げる。
【００５０】
ステップＳＴ４において、制御部４（リミット設定部４４）は、ボイラ２０Ａを第１の燃焼量以内で燃焼させた場合であっても、ボイラ群２はボイラ２０Ａを除く他の燃焼ボイラにより必要蒸気量算出部４０により算出される必要蒸気量を賄えるか否かを判定する。必要蒸気量を賄えると判定した場合（Ｙｅｓ）、ステップＳＴ５に移る。必要蒸気量を賄えないと判定した場合（Ｎｏ）、ステップＳＴ４に戻る。
【００５１】
ステップＳＴ５において、制御部４（リミット設定部４４）は、ボイラ２０Ａの燃焼量の上限を第１の燃焼量に設定する。
【００５２】
ステップＳＴ６において、制御部４（リセット部４５）は、ボイラ２０Ａを第１の燃焼量以内で燃焼させた場合であっても、ボイラ群２はボイラ２０Ａを除く他の燃焼ボイラにより必要蒸気量算出部４０により算出される必要蒸気量を賄えるか否かを判定する。必要蒸気量を賄えると判定した場合、ステップＳＴ８に移る。必要蒸気量を賄えないと判定した場合（Ｎｏ）、ステップＳＴ７に移る。
【００５３】
ステップＳＴ７において、制御部４（リセット部４５）は、ボイラ２０Ａの燃焼量の上限（第１の燃焼量）をリセットする。その後、ステップＳＴ４に戻る。
【００５４】
ステップＳＴ８において、制御部４の最適燃焼移行制御機能によりボイラ２０Ａが燃焼停止させられたか否かを判定する。ボイラ２０Ａが燃焼停止させられた場合（Ｙｅｓ）、ステップＳＴ９に移る。ボイラ２０Ａが燃焼停止させられていない場合（Ｎｏ）、ステップＳＴ６に戻る。
【００５５】
ステップＳＴ９において、ボイラ２０Ａを全ブロー処理可能となる。
【００５６】
このように、積極的にボイラ２０Ａを燃焼停止することなく、ボイラ群２全体の蒸気負荷が低くなると、最適燃焼移行制御機能により、ボイラ２０Ａは燃焼停止させることができる。これにより、ボイラ２０Ａの全ブロー処理が可能となる。
【００５７】
なお、台数制御装置４（制御部４０）の処理フローは、上記に限定されない。
［処理フローの変形例１］
前述した処理フローでは、ステップＳＴ８において最適燃焼移行制御機能によりボイラ２０Ａが燃焼停止させられたか否かを判定し、ボイラ２０Ａが燃焼停止させられた場合、ステップＳＴ９に移るものとした。
これに対して、最適燃焼移行制御機能では、ボイラ２０Ａがなかなか停止しないケースが発生する可能性があることから、最適燃焼移行制御機能による燃焼停止に替えて、ステップＳＴ８を次のステップＳＴ８´に、ステップＳＴ９をステップＳＴ９´に置き換えてもよい。
ステップＳＴ８´において、ボイラ２０Ａの燃焼率が最小燃焼率に到達したか否か、及びボイラ群２は当該ボイラ２０Ａを停止しても他の燃焼ボイラにより必要蒸気量算出部４０により算出される必要蒸気量を賄えるか否かを判定し、これらの条件を満たす場合（Ｙｅｓ）、ステップＳＴ９´に移り、これらの条件を満たさない場合（Ｎｏ）、ステップＳＴ６に戻る。
ステップＳＴ９´において、当該ボイラ２０Ａを燃焼停止させ、ボイラ２０Ａを全ブロー処理可能とする。
【００５８】
［処理フローの変形例２］
前述した処理フロー及びその変形例１においては、ブロー報知アラーム検出部４２によりボイラ２０についてブロー報知アラームが検出された後、オペレータによるブロー報知アラームの確認操作を検知した場合（条件２）に、優先順位を繰り下げるものとしたが、条件２に替えて、条件１（ブロー報知アラームが検出されたことで無条件に優先順位を繰り下げる）又は条件３（オペレータによるブロー操作開始指示の操作を検知した場合）を適用することができる。
【００５９】
条件１を適用した場合、前述した処理フロー及びその変形例１のステップＳＴ２における処理は不要となる。
【００６０】
条件３を適用した場合、前述した処理フロー及びその変形例１のステップＳＴ２は次のステップＳＴ２´に置き換えられる。
ステップＳＴ２´において、制御部４（ブロー報知アラーム検出部４２）は、オペレータによるブロー操作開始指示の操作を検知したか否かを判断する。オペレータによるブロー操作開始指示の確認操作を検知した場合（Ｙｅｓ）、ステップＳＴ３に移る。オペレータによるブロー操作開始指示の確認操作を検知しない場合（Ｎｏ）、ステップＳＴ２´に戻る。
【００６１】
以上説明した第１実施形態のボイラシステム１によれば、以下のような効果を奏する。
【００６２】
第１実施形態のボイラシステム１に係る台数制御装置３（制御部４）は、全ブローが必要な時期になった前記ボイラのブロー報知アラームを検出するブロー報知アラーム検出部４２と、ブロー報知アラームを出力されたブロー報知ボイラの燃焼優先順位を最下位に繰り下げる優先順位繰下部４３と、ブロー報知ボイラの燃焼量の上限を予め設定された第１の燃焼量に設定するリミット設定部４４と、を含む。
これにより、全体の蒸気負荷が低い場合、台数制御装置３（制御部４）は、最適燃焼移行制御機能による成り行き等によりブロー報知ボイラを停止させることができる。また、オペレータにより例えば運転スイッチのオフ操作がなされることで、ブロー報知ボイラを停止させる場合であっても、出力蒸気量と蒸気負荷のバランスが崩れ、ヘッダ圧力が不安定となることを防止することができる。
【００６３】
第１実施形態のボイラシステム１に係る台数制御装置３（制御部４）は、ボイラ群２により前記必要蒸気量を賄えない場合に、リミット設定部４４による設定を一時的に解除するリセット部４５を更に備える。
これにより、ブロー報知ボイラに対して燃焼量の上限が設定された後に全体の蒸気負荷が増加し、ボイラ群２で必要蒸気量を賄えなくなった場合に、一時的にブロー報知ボイラに設定された燃焼量の上限をリセットする（外す）ことで、ブロー報知ボイラの出力蒸気量を増加させ、ボイラ群２で必要蒸気量を出力させることができる。
【００６４】
以上、本発明のボイラシステムの好ましい第１実施形態について説明したが、本発明は、上述の実施形態に制限されるものではなく、適宜変更が可能である。
【００６５】
［変形例１］
第１実施形態において、ブロー報知ボイラに対してリミット設定部４４により燃焼量の上限が設定された後に全体の蒸気負荷が増加し、ボイラ群２で必要蒸気量を賄えなくなった場合に、リセット部４５により、一時的にブロー報知ボイラに設定された燃焼量の上限をリセットする（外す）するように構成した。
これに対して、ボイラ効率を重視する観点から、ブロー報知ボイラに対してリミット設定部４４により燃焼量の上限が設定された後に、ボイラ群２におけるブロー報知ボイラを除く燃焼中のボイラ２０が所定の燃焼率又は所定の燃焼範囲を外れて燃焼する場合に、リセット部４５により、一時的にブロー報知ボイラに設定された燃焼量の上限をリセットする（外す）ように構成してもよい。
【００６６】
所定の燃焼率として、燃焼ボイラのボイラ効率が最も高くなる燃焼率であるエコ運転ポイントを適用することが好ましい。また、所定の燃焼範囲として、燃焼ボイラのボイラ効率が所定閾値よりも高くなる燃焼率の範囲であるエコ運転ゾーンを適用することが好ましい。
そうすることで、ブロー報知ボイラに対してリミット設定部４４により燃焼量の上限が設定された後に、他の燃焼ボイラがエコ運転ポイント又はエコ運転ゾーンを外れて燃焼した場合（すなわち、燃焼ボイラのボイラ効率が低下した場合）に、一時的にブロー報知ボイラに設定された燃焼量の上限をリセットする（外す）ことで、他の燃焼ボイラをエコ運転ポイント又はエコ運転ゾーンで燃焼させることを可能とする。
このように、燃焼ボイラのボイラ効率をブロー報知ボイラの全ブロー処理に優先させることができる。
【００６７】
燃焼ボイラのボイラ効率をブロー報知ボイラの全ブロー処理に優先させる場合、図３に示した台数制御装置３（制御部４）による処理内容を示すフローチャート（及び当該フローチャートの変形例１及び変形例２）は、ステップＳＴ４をステップＳＴ４´に、ステップＳＴ６をステップＳＴ６´に置き換えることで説明できる。
【００６８】
［ステップＳＴ４´］
ステップＳＴ４´において、制御部４（リミット設定部４４）は、ボイラ２０Ａを第１の燃焼量以内で燃焼させた場合に、ボイラ群２はボイラ２０Ａを除く他の燃焼ボイラがエコ運転ポイント又はエコ運転ゾーンを外れずに燃焼するか否かを判定する。他の燃焼ボイラがエコ運転ポイント又はエコ運転ゾーンを外れずに燃焼すると判定した場合（Ｙｅｓ）、ステップＳＴ６´に移る。他の燃焼ボイラがエコ運転ポイント又はエコ運転ゾーンを外れて燃焼すると判定した場合（Ｎｏ）、ステップＳＴ４´に戻る。
【００６９】
［ステップＳＴ６´］
ステップＳＴ６´において、制御部４（リセット部４５）は、ボイラ２０Ａを除く他の燃焼ボイラがエコ運転ポイント又はエコ運転ゾーンを外れずに燃焼するか否かを判定する。他の燃焼ボイラがエコ運転ポイント又はエコ運転ゾーンを外れずに燃焼すると判定した場合（Ｙｅｓ）、ステップＳＴ８に移る。他の燃焼ボイラがエコ運転ポイント又はエコ運転ゾーンを外れて燃焼すると判定した場合（Ｎｏ）、ステップＳＴ７に移る。
それにより、ブロー報知ボイラに対して燃焼量の上限が設定された後に、他の燃焼ボイラがエコ運転ゾーンを外れて燃焼する場合に、一時的に前記ブロー報知ボイラに設定された燃焼量の上限をリセットする（外す）ことで、ボイラ効率を優先させることができる。
【００７０】
第１実施形態乃至第２実施形態では、本発明を、５台のボイラ２０からなるボイラ群２を備えるボイラシステム１に適用したが、これに限らない。すなわち、本発明を、６台以上のボイラ２０からなるボイラ群を備えるボイラシステムに適用してもよく、また、２台から４台のボイラからなるボイラ群を備えるボイラシステムに適用してもよい。
【００７１】
第１実施形態乃至第２実施形態では、ボイラ２０を連続制御ボイラとした場合、すべて同一のボイラ容量としたが、これに限らない。すなわち、連続制御ボイラ毎にその最小燃焼量、単位蒸気量、最大燃焼量としての燃焼能力が異なる場合にも適用可能である。
【００７２】
第１実施形態乃至第２実施形態では、ボイラ２０を段階値制御ボイラとした場合、任意のＮ位置の燃焼位置を有することとしてもよい。
【００７３】
また、段階値制御ボイラにより構成する場合、段階値ボイラ毎に、ボイラ容量、燃焼位置の段階数Ｎ、及び各燃焼位置における燃焼率等を異なるものとしてもよい。
【符号の説明】
【００７４】
１  ボイラシステム
２  ボイラ群
３  台数制御装置
４  制御部
４０  必要蒸気量算出部
４１  燃焼制御部
４２  ブロー報知アラーム検出部
４３  優先順位繰下部
４４  リミット設定部
４５  リセット部
５  記憶部
６  蒸気ヘッダ（蒸気集合部）
７  蒸気圧センサ（蒸気圧測定手段）
１８  蒸気使用設備（負荷機器）
２０  ボイラ
【図１】
2018054181.tif 000003
【図２Ａ】
2018054181.tif 000004
【図２Ｂ】
2018054181.tif 000005
【図３】
2018054181.tif 000006
【図４】
2018054181.tif 000007